(57)【要約】【課題】組み立てられた包装容器を小さな床面積の略平面状に折り畳んで保管し、輸送する。【解決手段】少なくとも正面板１５と、背面板１１と、左右の側面板５，９と、底面板４と、上面板１２と、底面板４および上面板１２との間に配設される仕切り板８とを連設してなる包装容器１において、左側面板および右側面板に、各側面板、背面板および底面板が交差して形成された各頂点から各側面板と底面板との折り目に対して４５度の角度で谷折り目ｎが形成され、また、正面板に、正面板、左右の側面板および底面板が交差して形成された頂点から正面板と底面板との折り目に対して４５度の角度で山折り目ｐが形成される。そして、組み立てられた包装容器を背面板と底面板との折り目に沿って折り込んで、上面板および背面板と、底面板および山折り目に沿って折り込まれた正面板との間に、仕切り板および谷折り目に沿って折り込まれた左右の側面板を収容する。【選択図】  図７
2006089094.tif 000002
【特許請求の範囲】
【請求項１】
少なくとも正面板と、背面板と、左右の側面板と、底面板と、上面板と、底面板および上面板との間に配設される仕切り板とを連設してなる包装容器において、左側面板に、左側面板、背面板および底面板が交差して形成された頂点から左側面板と底面板との折り目に対して４５度の角度で谷折り目が形成される一方、右側面板に、右側面板、背面板および底面板が交差して形成された頂点から右側面板と底面板との折り目に対して４５度の角度で谷折り目が形成され、また、正面板に、正面板、左側面板および底面板が交差して形成された頂点から正面板と底面板との折り目に対して４５度の角度で山折り目が形成されるとともに、正面板、右側面板および底面板が交差して形成された頂点から正面板と底面板との折り目に対して４５度の角度で山折り目が形成されてなり、組み立てられた包装容器を背面板と底面板との折り目に沿って折り込んで、上面板および背面板と、底面板および山折り目に沿って折り込まれた正面板との間に、かつ、それらの幅の範囲内に、仕切り板および谷折り目に沿って折り込まれた左右の側面板を収容することを特徴とする包装容器。
【請求項２】
前記上面板に外正面板および係止片が順に連設され、また、底面板と正面板との折り目に係止片が挿入可能な挿入部が形成されることを特徴とする請求項１記載の包装容器。
【請求項３】
前記底面板と左右一方の側面板にわたって、垂直部と上面部からなる仕切り部材が配設され、左右の側面板が谷折り目に沿って折り込まれる際、仕切り部材が、折り込まれた左右一方の側面板によって底面板との間に折り畳まれることを特徴とする請求項１記載の包装容器。
【請求項４】
前記仕切り板が底面板の幅と略同一の幅を有して、左右他方の側面板に折り代および折り返し片を介して連設されることを特徴とする請求項１，２または３記載の包装容器。
【請求項５】
前記仕切り板が底面板の幅と略同一の幅を有して、背面板の左右他方の端縁に連設された糊代に折り目および切れ目を介して連設されることを特徴とする請求項１，２または３記載の包装容器。
【請求項６】
前記正面板に仕切り板係止片が連設され、また、仕切り板に仕切り板係止片が挿入可能な挿入部が形成されることを特徴とする請求項４または５記載の包装容器。
【発明の詳細な説明】
【技術分野】
【０００１】
この発明は、携帯電話などの小型の電気機器の包装容器に関するものである。
【背景技術】
【０００２】
一般に、携帯電話などの包装容器１００は、図１６に示すように、主に正面板１１１、背面板１１２、左右の側面板１１３，１１４、底面板１１５および上面板１１６から形成された容器本体１１０と、容器本体１１０の下部空間を左右に区画する仕切り部材１２０と、容器本体１１０の内部を上下に区画する仕切り板１３０と、から構成され、組み立てた容器本体１１０に、組み立てた仕切り部材１２０を配設し、仕切り部材１２０によって区画された各空間に携帯電話本体および付属品をそれぞれ収容した後、仕切り板１３０を載せて上下に区画し、仕切り板１３０によって区画された上部空間に取扱説明書を収容し、その後、上面板１１６を介して上方開口部を閉鎖するようにしている。
【０００３】
なお、内部空間を仕切りによって左右に区画する包装容器は特許文献１に記載されている。また、内部を仕切り部材によって複数個に分割するとともに、仕切り部材を重ねて上下に分割する包装容器は特許文献２に記載されている。
【特許文献１】特開平５−１１２３５３号公報
【特許文献２】実開平３−４５２４号公報
【発明の開示】
【発明が解決しようとする課題】
【０００４】
ところで、前述した包装容器を構成する容器本体を容器メーカーにて組み立てるとともに、仕切り部材を組み立て、仕切り板とともに納品する場合、組み立てた容器本体に対応する容積を占有することになる。したがって、携帯電話が１日当たり数千個単位で生産されることを考慮すると、組み立てた包装容器を保管し、輸送する場合、また、納品された包装容器を保管するに際して、大きな空間を必要とする問題がある。
【０００５】
一方、容器本体を完全に組み立てることなく展開図の状態で納品する場合や、一部糊付けした半製品の状態で納品する場合、例えば、図１７に示すように、背面板および右側面板の上に、正面板および左側面板を重ねた状態で納品する場合も考えられるが、容器本体の組立工程が必要となるとともに、組み立てられた容器本体に組み立てた仕切り部材を組み込む必要があり、多くの作業時間が別途必要となる問題がある。また、展開図の状態で納品する場合は、大きな床面積を占有することを避けることができない。
【０００６】
なお、引用文献１および引用文献２に記載された包装容器においても、包装容器を組み立てて納品すれば、その保管場所として大きな空間を必要とし、また、展開図の状態で納品すれば、別途組立工程が必要となることに変わりはない。
【０００７】
本発明は、このような問題点に鑑みてなされたもので、組み立てられた包装容器を小さな床面積の略平面状に折り畳んで保管し、輸送することができる包装容器を提供するものである。
【課題を解決するための手段】
【０００８】
本発明は、少なくとも正面板と、背面板と、左右の側面板と、底面板と、上面板と、底面板および上面板との間に配設される仕切り板とを連設してなる包装容器において、左側面板に、左側面板、背面板および底面板が交差して形成された頂点から左側面板と底面板との折り目に対して４５度の角度で谷折り目が形成される一方、右側面板に、右側面板、背面板および底面板が交差して形成された頂点から右側面板と底面板との折り目に対して４５度の角度で谷折り目が形成され、また、正面板に、正面板、左側面板および底面板が交差して形成された頂点から正面板と底面板との折り目に対して４５度の角度で山折り目が形成されるとともに、正面板、右側面板および底面板が交差して形成された頂点から正面板と底面板との折り目に対して４５度の角度で山折り目が形成されてなり、組み立てられた包装容器を背面板と底面板との折り目に沿って折り込んで、上面板および背面板と、底面板および山折り目に沿って折り込まれた正面板との間に、かつ、それらの幅の範囲内に、仕切り板および谷折り目に沿って折り込まれた左右の側面板を収容することを特徴とするものである。
【０００９】
本発明によれば、展開図にしたがって段ボールなどを打ち抜き、正面板、背面板、左右の側面板、底面板および上面板からなる包装容器を組み立てた後、正面板を山折り目に沿って山折りするように押し潰す一方、左右の側面板をそれぞれ底面板に対してそれぞれ谷折りするとともに、谷折り目に沿って谷折りするようにそれぞれ内方に向けて押し込み、背面板を上面板とともに底面板に対して谷折りするように折り込めば、背面板および上面板と、底面板および山折り目に沿って折り込まれた正面板との間に、仕切り板および谷折り目に沿って折り込まれた左右の側面板が収容されて、略平面状に折り畳まれる。しかも、収容された仕切り板および左右の側面板は、底面板の幅の範囲内に収容される。
【００１０】
この結果、底面板の幅寸法の範囲内において、組み立てた包装容器をほぼ平面状に折り畳むことができ、大きな空間を必要とすることなく組み立てた包装容器を保管し、あるいは、輸送することができる。また、略平面状に折り畳まれた包装容器は、上面板を支持して正面板を底面板とともに引き起こすとともに、正面板を内方に向けて押し込むという簡単な操作で、再び箱状の包装容器に復帰させることができ、包装容器の組立作業にほとんど時間を必要とすることがない。
【００１１】
本発明において、前記上面板に外正面板および係止片が順に連設され、また、底面板と正面板との折り目に係止片が挿入可能な挿入部が形成されると、正面板の外方に外正面板を配置し、挿入部に係止片を挿入することで、上面板および外正面板を係止することができる。このため、正面板の、山折り目に沿って外方にく字状に折曲しようとする折り癖を外正面板によって規制することができる。
【００１２】
本発明において、前記底面板と左右一方の側面板にわたって、垂直部と上面部からなる仕切り部材が配設され、左右の側面板が谷折り目に沿って折り込まれる際、仕切り部材が、折り込まれた左右一方の側面板によって底面板との間に折り畳まれると、仕切り部材を利用して機器の一部を収容することができる。また、仕切り部材を利用して仕切り板を支持することができる。
【００１３】
本発明において、前記仕切り板が底面板の幅と略同一の幅を有して、左右他方の側面板に折り代および折り返し片を介して連設されると、仕切り板の先端を左右一方の側面板の内面にその谷折り目に交差して当接させることができるとともに、その折り返し片との折り目である基端を左右他方の側面板の内面にその谷折り目に交差して当接させることができる。このため、左右の側面板の、谷折り目に沿って内方にく字状に折曲しようとする折り癖を仕切り板によって規制することができる。
【００１４】
この場合、折り代、折り返し片および仕切り板に左右他方の側面板に形成された谷折り目に連続する谷折り目を形成することにより、組み立てた包装容器を略平面状に折り畳む際、支障を発生させることがない。
【００１５】
また、折り代、折り返し片および仕切り板の、左右他方の側面板に形成された谷折り目の延長線と、左右他方の側面板と折り代との折り目における正面板側折り目によって区画された部分を切除することで、組み立てた包装容器を略平面状に支障なく折り畳むようにしてもよい。
【００１６】
本発明において、前記仕切り板が底面板の幅と略同一の幅を有して、背面板の左右他方の端縁に連設された糊代に折り目および切れ目を介して連設されると、仕切り板の先端を左右一方の側面板の内面に当接させることができるとともに、その折り返し片との折り目である基端を左右他方の側面板の内面に当接させることができる。このため、左右の側面板の、谷折り目に沿って内方にく字状に折曲しようとする折り癖を仕切り板によって規制することができる。
【００１７】
この場合、仕切り板が糊代に連設されることから、左右の側面板にそれぞれフラップを連設することが可能となり、好ましい。
【００１８】
本発明において、前記正面板に仕切り板係止片が連設され、また、仕切り板に仕切り板係止片が挿入可能な挿入部が形成されると、仕切り板を配設した際に仕切り板係止片を仕切り板の挿入部に挿入することで、正面板を仕切り板に係止することができる。このため、正面板の、山折り目に沿って外方にく字状に折曲しようとする折り癖を抑制することができる。
【発明の効果】
【００１９】
本発明によれば、組み立てられた包装容器を小さな床面積の略平面状に折り畳んで保管し、輸送することができる。
【発明を実施するための最良の形態】
【００２０】
以下、本発明の実施の形態を図面に基づいて説明する。
【００２１】
図１および図２には、本発明の包装容器１の一実施形態が示されている。
【００２２】
この包装容器１は、容器本体２と、仕切り部材３と、から形成されている。
【００２３】
容器本体２および仕切り部材３は、段ボールを図３に示す展開図にしたがって打ち抜いた後、折り目に沿って折り込むとともに、所定部分を貼着して組み立てられる。
【００２４】
この容器本体２は、底面板４の左端縁に、左側面板５、折り代６、折り返し片７および仕切り板８が折り目ａ，ｂ，ｃ，ｄを介して順に連設される一方、底面板４の右端縁に、右側面板９およびフラップ１０が折り目ｅ，ｆを介して順に連設され、また、底面板４の上端縁に、背面板１１、上面板１２、外正面板１３および係止片１４が折り目ｇ，ｈ，ｉ，ｊを介して順に連設され、さらに、底面板４の下端縁に正面板１５が折り目ｋを介して連設され、また、背面板１１の左右各端縁および正面板１５の左右各端縁にそれぞれ糊代１６が折り目ｍを介して連設されて構成されている。
【００２５】
そして、左側面板５には、左側面板５と底面板４との折り目ａおよび底面板４と背面板１１との折り目ｇの交点から、前記折り目ａに対して４５度の角度で延びる谷折り目ｎが形成され、右側面板９にも、右側面板９と底面板４との折り目ｅおよび底面板４と背面板１１との折り目ｇの交点から、前記折り目ｅに対して４５度の角度で延びる谷折り目ｎが形成されている。また、正面板１５には、左右の側面板５，９と底面板４との折り目ａ，ｅおよび底面板４と正面板１５との折り目ｋの交点から前記折り目ｋに対して４５度の角度で延びる山折り目ｐ，ｐが形成されている。さらに、正面板１５には、底面板４との折り目ｋに沿って係止片１４に対応する挿入部１５ａが形成される一方、底面板４には、挿入部１５ａに連続して半円状の切欠部４ａが形成されている。
【００２６】
ここで、左側面板５に形成された谷折り目ｎは、そのまま延長されて折り代６、折り返し片７および仕切り板８にも形成されている。また、フラップ１０には、右側面板９に形成された谷折り目ｎの延長線と、右側面板９とフラップ１０との折り目ｆおよび前記谷折り目ｎとの交点から該延長線に対して９０度をなす延長線とからなる直角三角形状の切欠部１０ａが形成されている。さらに、背面板１１に連設された各糊代１６の下端部は、前記左右の側面板５，９の各谷折り目ｎの終点から該谷折り目ｎに対して９０度をなす延長線に沿って切除されている。
【００２７】
一方、仕切り部材３は、上面部１７の左端縁に、垂直部１８および糊代１９が折り目ｑ，ｒを介して順に連設されるとともに、その右端縁に糊代２０が折り目ｓを介して連設されて構成されており、上面部１７の長さ（図３（ｂ）において、上端縁から下端縁までの長さ）は、容器本体２における背面板１１と底面板４との折り目ｇおよび正面板１５と底面板４との折り目ｋ間の間隔よりも若干大きく設定されている。そして、上面部１７には、該上面部１７と垂直部１８との折り目ｑを始点としてＵ字状の切れ目ｔが形成され、また、上面部１７および垂直部１８の下端部には、上面部１７と垂直部１８との折り目ｑに対して直交する折り目ｕが形成されている。
【００２８】
なお、折り目ｑは、切れ目ｔとの交点に挟まれた間には形成されていない他、折り目ｕとの交点から下端縁までは、切れ目ｖが形成されて、上面部１７と垂直部１８とが切り離されている。
【００２９】
次に、このように構成された包装容器１の組み立て要領について説明する。  
【００３０】
まず、図３の展開図にしたがってそれぞれ段ボールを打ち抜いた後、仕切り部材３の糊代１９，２０をそれぞれ折り目ｒ，ｓに沿って裏面側に折り返して、その表面に接着剤を塗布し、容器本体３の底面板４および右側面板９にわたって貼着する（図４参照）。この場合、仕切り部材３の上端縁が折り目ｇに位置するように、かつ、糊代２０の外端縁が折り目ｅに沿うように貼着する。
【００３１】
次いで、右側面板９を底面板４に対して折り目ｅに沿って谷折りして立ち上げれば、仕切り部材３の上面部１７が右側面板９に貼着された糊代２０に対して折り目ｓに沿って山折りされて水平に折曲されるとともに、上面部１７が垂直部１８を押し出し、底面部４に貼着された糊代１９に対して折り目ｒに沿って山折りされて立ち上げられる。このため、仕切り部材３は、容器本体２の底面板４および右側面板９による隅角部において、底面板４および右側面板９とともに箱状に形成される（図５参照）。
【００３２】
この際、上面部１７に形成された切れ目ｔによって区画された部分は、垂直部１８に連続して上方に立ち上げられる。
【００３３】
また、容器本体２の各糊代１６を折り目ｍに沿ってそれぞれ谷折りし、各糊代１６の裏面に接着剤を塗布した後、背面板１１を上面板１２および外正面板１３とともに底面板４に対して折り目ｇに沿って谷折りして立ち上げ、右方の糊代１６を先に立ち上げられた右側面板９の表面に貼着する（図６参照）。
【００３４】
この際、仕切り部材３の上面板１７の右端縁と、右側面板９の表面との間に隙間が形成されており、糊代１６が入り込むことができる。また、右側面板９に貼着された糊代１６は、下端部が切除されているため、右側面板９の谷折り目ｎを越えることはない。
【００３５】
この後、正面板１５を底面板４に対して折り目ｋに沿って谷折りして立ち上げ、その右方の糊代１６を右側面板９の表面に貼着する。この場合も、仕切り部材３の上面板１７の右端縁と、右側面板９の表面との間に隙間が形成されているため、糊代１６が入り込むことができる。
【００３６】
さらに、左側面板５を折り代６、折り返し片７および仕切り板８とともに底面板４に対して折り目ａに沿って谷折りして立ち上げ、左側面板５の表面に左方の糊代１６を貼着する（図７参照）。この場合も、背面板１１の左端縁に連設された糊代１６は、下端部が切除されているため、左側面板５の谷折り目ｎを越えることはない。
【００３７】
次いで、図７に示した組み立て状態から、正面板１５の左右端部を山折り目ｐに沿って山折りするように押し潰す一方、左側面板５および右側面板９をそれぞれ底面板４に対してそれぞれ折り目ａ，ｅに沿って谷折りするとともに、谷折り目ｎに沿って谷折りするようにそれぞれ内方に向けて押し込み、さらに、背面板１１を上面板１２および外上面板１３とともに底面板４に対して折り目ｇに沿って谷折りするように折り込めば、仕切り板８の表面が上面板１２の表面と対向接触して略平面状に折り畳まれる（図８および図９参照）。この際、仕切り部材３は、内方に向けて押し込まれた右側面板９によって垂直部１８および上面部１７が底面板４の表面に接触するように押し潰される。
【００３８】
この状態では、図１０において、背面板１１、上面板１２および外正面板１３が最下方に位置し、その上方に、谷折り目ｎに沿って折り込まれた仕切り板８の大部分、折り返し片７および折り代６の背面板１１側後半部および左側面板５の隅角部が配置されるとともに、谷折り目ｎに沿って折り込まれた右側面板９の隅角部が配置され、さらにその上方に、谷折り目ｎに沿って折り込まれた左右の側面板５，９の隅角部を除く大部分および正面板１５の山折り目ｐ，ｐに沿って折り込まれた左右の隅角部が配置され、最上方に、底面板４および正面板１５の、山折り目ｐ，ｐに沿って折り込まれた隅角部を除く大部分が配置されて、底面板４の幅の範囲内において、かつ、背面板１１、上面板１２および外正面板１３の高さ範囲内において、ほぼ平面状に折り畳まれる。
【００３９】
この際、仕切り板８の、谷折り目ｎに沿って折り込まれた端縁部が、フラップ１０の切欠部１０ａを通過するように設定されており、仕切り板８とフラップ１０との干渉が防止される。
【００４０】
この結果、組み立てられた包装容器１が底面板４の幅寸法の範囲内において、かつ、背面板１１、上面板１２および外正面板１３の各高さの和の範囲内において、ほぼ平面状に折り畳まれることから、大きな空間スペースを必要とすることなく組み立てた包装容器１を保管し、あるいは、輸送することができる。
【００４１】
このように組み立てられるとともに、略平面状に折り畳まれた包装容器１は携帯電話のメーカーに供給され、メーカーにおいて再度箱状に組み立てられた後、携帯電話を収容して出荷される。
【００４２】
具体的には、図１０に示した折り畳み状態で供給された包装容器１は、上面板１２を支持した状態で、正面板１５を底面板４とともに引き起こした後、正面板１５を内方に向けて押し込むことにより、図８の状態を経て図７に示した箱状に再び組み立てることができる。次いで、底面板４および仕切り部材３の上面部１７上に対応する携帯電話本体および付属品などの機器を配置した後、左側面板５に対して折り代６を折り目ｂに沿って山折りするとともに、折り代６に対して折り返し片７を折り目ｃに沿って山折りし、さらに、折り返し片７に対して仕切り板８を折り目ｄに沿って谷折りすれば、仕切り板８の先端面が右側面板９の内面に当接するとともに、折り返し片７の内面が左側面板５の内面に接触することから、左右の側面板５，９の、谷折り目ｎ，ｎに沿った内方に向けてく字状に折曲しようとする折り癖を矯正して、左右の側面板５，９をそれぞれほぼ垂直な立設状態に保持することができる（図２参照）。
【００４３】
この際、仕切り板８の内面が、仕切り部材３の垂直部１８に連続して立ち上げられた切れ目ｔによって区画された部分の先端と当接し、仕切り板８をほぼ水平に支持することができる。また、段ボールの厚みに対応する折り代６を有することにより、折り返し片７の内面を左側面板５の内面に確実に面接触させることができる。
【００４４】
次いで、仕切り板８の上に機器の取扱説明書を載せた後、フラップ１０を右側面板９に対して折り目ｆに沿って山折りし、さらに、背面板１１に対して上面板１２を折り目ｈに沿って山折りするとともに、上面板１２に対して外正面板１３を折り目ｉに沿って山折りした後、係止片１４を山折りして挿入部１５ａに差し込めば、携帯電話を収容した包装容器１を形成することができる（図１参照）。
【００４５】
この場合、外正面板１３の内面が正面板１５の外面に面接触することから、正面板１５の、山折り目ｐ，ｐに沿って外方に向けてく字状に折曲しようとする折り癖を抑えることができる。
【００４６】
なお、差し込まれた係止片１４は、仕切り部材３における垂直部１８の、正面板１５側端部の下端縁が、段ボールの厚みに相当する高さ分切り欠かれているため、係止片１４と仕切り部材３の垂直部１８とが干渉することはない。また、外正面板１３を介して正面板１５が押し込まれて略垂直な立設状態に保持されることにより、仕切り部材３における上面部１７の正面板１５側端縁部が正面板１５に当接して、折り目ｕに沿って谷折りするように押し上げられ、傾斜面が形成される。このため、機器が上面部１７から脱落するのを防止することができる。
【００４７】
一方、携帯電話を購入したユーザーは、底面板４の切欠部４ａに指を押し当てて係止片１４を引き出した後、外正面板１３および上面板１２を上方に跳ね上げれば、仕切り板８に載置された取扱説明書を取り出すことができ、以下、仕切り板８を引き上げることにより、携帯電話本体および付属品などの機器な包装容器１から取り出すことができる。
【００４８】
以上のように、容器本体２および仕切り部材３からなる包装容器１を先に箱状に組み立てた後、底面板４の幅の範囲から端部が外方に突出することなく略平面状に折り畳むことができることから、大きな空間スペースを必要とすることなく組み立てた包装容器１を保管し、あるいは、輸送することができる。
【００４９】
ところで、前述した実施形態においては、底面板４の左端縁に順に連設された左側面板５、折り代６、折り返し片７および仕切り板８に左側面板５に形成された谷折り目ｎが連続して形成された場合を例示したが、谷折り目ｎに沿って切除してもよい（図１１参照）。
【００５０】
この場合、折り代６および折り返し片７を、谷折り目ｎよりも内方に向けて湾曲して切り欠くことにより、略平面状に折り畳んだ場合においても、フラップ１０との干渉を避けることができるため、フラップ１０に切欠部１０ａを形成する必要はない（図１２参照）。
【００５１】
さらに、正面板１５の、山折り目ｐに沿って外方にく字状に折曲しようとする曲げ癖を抑制するため、図１３に示すように、正面板１５の上端縁に切れ目ｗおよび折り目ｘを介して仕切り板係止片１５１を連設する一方、仕切り板８に仕切り板係止片１５１に対応する挿入部８ａを形成し、仕切り板係止片１５１の先端部を仕切り板８の挿入部８ａに差し込むようにしてもよい。
【００５２】
また、前述した実施形態においては、仕切り板８を、底面板４に順に連設された左側面板５、折り代６および折り返し片７を介して連設した場合を例示したが、このような実施形態に限定するものではない。例えば、図１４および図１５に示すように、背面板１１の左端縁に連設された糊代１６に折り目ｙおよび切れ目ｚを介して連設するようにしてもよい。
【００５３】
この場合には、左側面板５の上端縁に、右側面板９の上端縁に連設されたフラップ１０と同様に、折り目Ｆを介してフラップ１０を連設することができる。
【産業上の利用可能性】
【００５４】
以上のように本発明によれば、組み立てられた包装容器を小さな床面積の略平面状に折り畳んで保管し、輸送することができるとともに、簡単に包装容器に回復させることができることから、携帯電話などの包装工程の作業効率を大幅に改善することができる。
【図面の簡単な説明】
【００５５】
【図１】本発明の包装容器の一実施形態を示す斜視図である。
【図２】図１の包装容器の内部を説明する斜視図である。
【図３】図１の包装容器を構成する容器本体および仕切り部材の展開図である。
【図４】図１の包装容器の組み立て工程を示す説明図である。
【図５】図１の包装容器の組み立て工程を示す説明図である。
【図６】図１の包装容器の組み立て工程を示す説明図である。
【図７】図１の包装容器の組み立て工程を示す説明図である。
【図８】図１の包装容器の折り畳み工程を示す説明図である。
【図９】図１の包装容器を折り畳んだ状態を示す斜視図である。
【図１０】図１の包装容器を折り畳んだ状態を示す平面図である。
【図１１】本発明の包装容器の他の実施形態を説明する斜視図である。
【図１２】本発明の包装容器のもう一つの実施形態を説明する斜視図である。
【図１３】本発明の包装容器のもう一つの他の実施形態を説明する斜視図である。
【図１４】本発明の包装容器のさらなる他の実施形態を説明する斜視図である。
【図１５】図１４の包装容器を構成する容器本体の展開図である。
【図１６】従来の包装容器を説明する分解斜視図である。
【図１７】図１６の容器本体を糊付けした状態を示す平面図である。
【符号の説明】
【００５６】
１  包装容器
２  容器本体
３  仕切り部材
４  底面板
５  左側面板
６  折り代
７  折り返し片
８  仕切り板
８ａ  挿入部
９  右側面板
１０  フラップ
１１  背面板
１２  上面板
１３  外上面板
１４  係止片
１５  正面板
１５ａ  挿入部
１６  糊代
１７  上面部
１８  垂直部
１９，２０  糊代
ａ，ｂ，ｃ，ｄ，ｅ，ｆ，ｇ，ｈ，ｉ，ｊ，ｋ，ｍ，ｑ，ｒ，ｓ，ｕ，ｘ，ｙ  折り目
ｎ  谷折り目
ｐ  山折り目
ｔ，ｖ，ｗ，ｚ  切れ目
【図１】
2006089094.tif 000003
【図２】
2006089094.tif 000004
【図３】
2006089094.tif 000005
【図４】
2006089094.tif 000006
【図５】
2006089094.tif 000007
【図６】
2006089094.tif 000008
【図７】
2006089094.tif 000009
【図８】
2006089094.tif 000010
【図９】
2006089094.tif 000011
【図１０】
2006089094.tif 000012
【図１１】
2006089094.tif 000013
【図１２】
2006089094.tif 000014
【図１３】
2006089094.tif 000015
【図１４】
2006089094.tif 000016
【図１５】
2006089094.tif 000017
【図１６】
2006089094.tif 000018
【図１７】
2006089094.tif 000019